(57)【要約】  温熱環境制御装置（２）は、室内の環境値を測定する室内環境測定部（２０）と、室内の環境を調整する１以上の機器の一例である送風機（３０）を制御する制御部（３１）と、ユーザの周囲の環境値を測定する使用者環境測定部（１１）と、ユーザの着衣量を取得する着衣量取得部（１５）と、ユーザの活動量を取得する活動量取得部（１６）と、使用者環境測定部（１１）によって測定された環境値と、着衣量取得部（１５）によって取得された着衣量と、活動量取得部（１６）によって取得された活動量とに基づいて、ユーザの蓄熱量を算出する蓄熱量算出部（１９）とを備える。制御部（３１）は、室内環境測定部（２０）によって測定された環境値と、蓄熱量算出部（１９）によって算出された蓄熱量とに基づいて、１以上の機器の制御内容を決定し、決定した制御内容で１以上の機器を制御する。
2020021972.tif 000002
【特許請求の範囲】
【請求項１】
室内の環境値を測定する室内環境測定部と、
前記室内の環境を調整する１以上の機器を制御する制御部と、
ユーザの周囲の環境値を測定する使用者環境測定部と、
前記ユーザの着衣量を取得する着衣量取得部と、
前記ユーザの活動量を取得する活動量取得部と、
前記使用者環境測定部によって測定された環境値と、前記着衣量取得部によって取得された着衣量と、前記活動量取得部によって取得された活動量とに基づいて、前記ユーザの蓄熱量を算出する算出部とを備え、
前記制御部は、前記室内環境測定部によって測定された環境値と、前記算出部によって算出された蓄熱量とに基づいて、前記１以上の機器の制御内容を決定し、決定した制御内容で前記１以上の機器を制御する
温熱環境制御装置。
【請求項２】
前記使用者環境測定部によって測定された環境値と、前記着衣量取得部によって取得された着衣量と、前記活動量取得部によって取得された活動量とを時系列データとして蓄積するための記憶部を備え、
前記算出部は、前記記憶部に蓄積される前記時系列データに基づいて前記蓄熱量を算出する
請求項１に記載の温熱環境制御装置。
【請求項３】
前記室内の環境値は、前記室内の温度及び湿度の少なくとも一方を含む
請求項１又は２に記載の温熱環境制御装置。
【請求項４】
前記ユーザの周囲の環境値は、前記ユーザの周囲の温度、湿度及び日射量である
請求項１〜３のいずれか１項に記載の温熱環境制御装置。
【請求項５】
請求項１〜４のいずれか１項に記載の温熱環境制御装置と、
前記１以上の機器とを備える
温熱環境制御システム。
【請求項６】
前記１以上の機器は、送風機を含み、
前記制御部は、前記送風機の風量を制御する
請求項５に記載の温熱環境制御システム。
【請求項７】
前記１以上の機器は、前記室内の温度又は湿度を調整する空調機器を含み、
前記制御部は、前記空調機器の設定温度及び設定湿度の少なくとも一方を制御する
請求項５又は６に記載の温熱環境制御システム。
【請求項８】
さらに、前記ユーザに装着されるウェアラブルデバイスを備え、
前記ウェアラブルデバイスは、前記使用者環境測定部、前記着衣量取得部及び前記活動量取得部を備える
請求項５〜７のいずれか１項に記載の温熱環境制御システム。
【請求項９】
ユーザの周囲の環境値を測定するステップと、
前記ユーザの着衣量を取得するステップと、
前記ユーザの活動量を取得するステップと、
前記環境値と前記着衣量と前記活動量とに基づいて、前記ユーザの蓄熱量を算出する算出ステップと、
室内の環境値を測定するステップと、
前記室内の環境を調整する１以上の機器を制御するステップとを含み、
前記１以上の機器を制御するステップでは、前記室内の環境値と前記蓄熱量とに基づいて前記１以上の機器の制御内容を決定し、決定した制御内容で前記１以上の機器を制御する
温熱環境制御方法。
【発明の詳細な説明】
【技術分野】
【０００１】
本発明は、温熱環境制御装置、温熱環境制御システム及び温熱環境制御方法に関する。
【背景技術】
【０００２】
従来、予想温冷感申告（ＰＭＶ：Predicted Mean Vote）の値に基づいて、冷房又は暖房の調整を行う冷暖切替装置が知られている（例えば、特許文献１を参照）。
【先行技術文献】
【特許文献】
【０００３】
【特許文献１】特開平７−１９８１８６号公報
【発明の概要】
【発明が解決しようとする課題】
【０００４】
ユーザにとって快適な温熱環境は、直前のユーザの行動に依存する。例えば、直前に３２℃の空間に居た場合には、室温が３０℃の部屋であっても快適に感じられるのに対して、直前に２５℃の空間に居た場合には、室温が同じ３０℃の部屋であっても暑く、不快に感じられる。このため、上記従来の冷暖切替装置のように、ＰＭＶ値に基づいて冷房又は暖房の調整を行うだけでは、ユーザにとって快適な温熱環境が形成されない場合がある。【０００５】
そこで、本発明は、ユーザにとって快適な温熱環境を形成することができる温熱環境制御装置、温熱環境制御システム及び温熱環境制御方法を提供することを目的とする。
【課題を解決するための手段】
【０００６】
上記目的を達成するため、本発明の一態様に係る温熱環境制御装置は、室内の環境値を測定する室内環境測定部と、前記室内の環境を調整する１以上の機器を制御する制御部と、ユーザの周囲の環境値を測定する使用者環境測定部と、前記ユーザの着衣量を取得する着衣量取得部と、前記ユーザの活動量を取得する活動量取得部と、前記使用者環境測定部によって測定された環境値と、前記着衣量取得部によって取得された着衣量と、前記活動量取得部によって取得された活動量とに基づいて、前記ユーザの蓄熱量を算出する算出部とを備え、前記制御部は、前記室内環境測定部によって測定された環境値と、前記算出部によって算出された蓄熱量とに基づいて、前記１以上の機器の制御内容を決定し、決定した制御内容で前記１以上の機器を制御する。【０００７】
また、本発明の一態様に係る温熱環境制御システムは、前記温熱環境制御装置と、前記１以上の機器とを備える。【０００８】
また、本発明の一態様に係る温熱環境制御方法は、ユーザの周囲の環境値を測定するステップと、前記ユーザの着衣量を取得するステップと、前記ユーザの活動量を取得するステップと、前記環境値と前記着衣量と前記活動量とに基づいて、前記ユーザの蓄熱量を算出する算出ステップと、室内の環境値を測定するステップと、前記室内の環境を調整する１以上の機器を制御するステップとを含み、前記１以上の機器を制御するステップでは、前記室内の環境値と前記蓄熱量とに基づいて前記１以上の機器の制御内容を決定し、決定した制御内容で前記１以上の機器を制御する。【０００９】
また、本発明の一態様は、上記温熱環境制御方法をコンピュータに実行させるためのプログラムとして実現することができる。あるいは、当該プログラムを格納したコンピュータ読み取り可能な記録媒体として実現することもできる。
【発明の効果】
【００１０】
本発明によれば、ユーザにとって快適な温熱環境を形成することができる。
【図面の簡単な説明】
【００１１】
【図１】図１は、実施の形態１に係る温熱環境制御システムの構成を示すブロック図である。
【図２】図２は、実施の形態１に係る温熱環境制御システムの動作を示すフローチャートである。
【図３】図３は、実施の形態１に係る温熱環境制御システムの動作において、風量の決定処理を示すフローチャートである。
【図４】図４は、実施の形態１に係る温熱環境制御システムにおいて取得された時系列データと、当該時系列データに基づいて算出された蓄熱量との一例を示す図である。
【図５】図５は、実施の形態１に係る温熱環境制御システムにおける機器の制御による室内環境の変化を示す図である。
【図６】図６は、実施の形態２に係る温熱環境制御システムの構成を示すブロック図である。
【図７】図７は、実施の形態２に係る温熱環境制御システムの空調機器の動作を示すフローチャートである。
【図８】図８は、実施の形態２に係る温熱環境制御システムの動作において、設定温度又は設定湿度の決定処理を示すフローチャートである。
【発明を実施するための形態】
【００１２】
以下では、本発明の実施の形態に係る温熱環境制御装置、温熱環境制御システム及び温熱環境制御方法について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、独立請求項に記載されていない構成要素については、任意の構成要素として説明される。
【００１３】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１４】
（実施の形態１）
［構成］
まず、本実施の形態に係る温熱環境制御装置及び温熱環境制御システムの構成について、図１を用いて説明する。図１は、本実施の形態に係る温熱環境制御システム１の構成を示すブロック図である。
【００１５】
図１に示されるように、温熱環境制御システム１は、温熱環境制御装置２と、ウェアラブルデバイス１０と、送風機３０とを備える。温熱環境制御装置２は、使用者環境測定部１１と、着衣量取得部１５と、活動量取得部１６と、記憶部１７と、蓄熱量算出部１９と、室内環境測定部２０と、制御部３１とを備える。
【００１６】
ウェアラブルデバイス１０は、ユーザに装着される。室内環境測定部２０及び送風機３０は、例えば室内に設けられる。ウェアラブルデバイス１０と、室内環境測定部２０と、送風機３０とは、無線又は有線で通信可能に接続されている。
【００１７】
室内は、温熱環境制御システム１が備える機器によって温熱環境が制御される対象となる屋内空間である。本実施の形態では、室内は、送風機３０によって生成される気流が放出される空間である。例えば、室内は、ユーザが滞在する屋内空間であり、具体的には、ユーザの自宅、オフィスビル、学校又は病院などの建物の一室である。屋内空間は、自動車などの車両の車内空間であってもよい。
【００１８】
ウェアラブルデバイス１０は、ユーザに装着され、ユーザの周囲環境に関する情報を取得する端末装置である。ウェアラブルデバイス１０は、例えば、ユーザの手、腕又は脚に装着される。本実施の形態では、ウェアラブルデバイス１０は、取得した情報を送風機３０に送信する。
【００１９】
例えば、ウェアラブルデバイス１０は、マイコン及び各種センサなどを収容する本体部と、当該本体部をユーザに装着するための取付具とを備える。取付具は、例えば、本体部を支持する帯（バンド）と、手首又は足首などの対象物に帯が巻きつけられた状態で固定可能な留め具とを有する。留め具は、例えばバックル又は面ファスナーなどであるが、特に限定されない。
【００２０】
ウェアラブルデバイス１０がユーザに装着される態様は、特に限定されない。例えば、ウェアラブルデバイス１０は、粘着テープなどを有し、ユーザの肌に直接貼り付けられてもよい。あるいは、ウェアラブルデバイス１０は、ユーザの衣服のポケットなどに収納されることで、ユーザに装着されてもよい。
【００２１】
図１に示されるように、ウェアラブルデバイス１０は、使用者環境測定部１１と、着衣量取得部１５と、活動量取得部１６と、記憶部１７と、蓄熱量算出部１９とを備える。使用者環境測定部１１は、温度測定部１２と、湿度測定部１３と、日射量測定部１４とを有する。記憶部１７には、時系列データ１８が記憶される。
【００２２】
温度測定部１２は、ユーザの周囲の環境値を測定する使用者環境測定部の一例であり、環境値の一例である温度を測定する。温度測定部１２は、例えば温度センサであり、ユーザの周囲の温度を測定する。例えば、温度測定部１２は、ウェアラブルデバイス１０に触れる空気の温度を測定する。
【００２３】
湿度測定部１３は、ユーザの周囲の環境値を測定する使用者環境測定部の一例であり、環境値の一例である湿度を測定する。湿度測定部１３は、例えば湿度センサであり、ユーザの周囲の湿度を測定する。例えば、湿度測定部１３は、ウェアラブルデバイス１０に触れる空気の湿度を測定する。
【００２４】
日射量測定部１４は、ユーザの周囲の環境値を測定する使用者環境測定部の一例であり、環境値の一例である日射量を測定する。日射量測定部１４は、例えば日射計であり、ユーザに照射される太陽光の単位面積及び単位時間当たりの放射エネルギーを日射量として測定する。例えば、日射量測定部１４は、ウェアラブルデバイス１０に照射される太陽光を受光することで、日射量を測定する。
【００２５】
着衣量取得部１５は、ユーザの着衣量を取得する。着衣量は、例えば、ユーザが着ている１枚以上の衣服の熱抵抗の合計値であり、単位：ｃｌｏで表される。一般的に、厚着である程、着衣量は大きな値になる。
【００２６】
着衣量取得部１５は、例えば、ユーザからの着衣の入力を受け付けるユーザインタフェースで実現される。具体的には、着衣量取得部１５は、ウェアラブルデバイス１０が備えるタッチパネルディスプレイとプロセッサとで実現される。タッチパネルディスプレイには、ユーザが着ている衣服を選択するための選択画面、又は、衣服をテキストで入力するためのテキスト入力画面などが表示される。プロセッサは、選択内容又は入力内容に基づいて着衣量データベースを参照することで、ユーザの着衣量を取得する。なお、タッチパネルディスプレイの代わりに、音声入力を受け付けるマイクが用いられてもよい。
【００２７】
着衣量データベースは、例えば、ウェアラブルデバイス１０が備えるメモリに記憶されている。あるいは、着衣量データベースは、ウェアラブルデバイス１０が通信可能なサーバ装置のメモリに記憶されていてもよい。着衣量データベースは、衣服の種類毎に熱抵抗を対応付けたデータベースである。例えば、着衣量データベースでは、ネクタイであれば熱抵抗が０．０１ｃｌｏ、ワイシャツであれば熱抵抗が０．２４ｃｌｏなどと予め定められている。
【００２８】
なお、着衣量取得部１５は、ユーザが着衣を変更したタイミングで、ユーザからの着衣の入力を受け付ける。着衣量取得部１５は、着衣の入力をユーザに促すための表示、音声出力又は振動を行ってもよい。
【００２９】
活動量取得部１６は、ユーザの活動量を取得する。活動量は、例えば、ユーザの身体活動の強さであり、単位：メッツ（ＭＥＴｓ：Metabolic Equivalents）で表される。具体的には、座って安静にしている状態を１メッツとする。例えば、通常の速さで歩行している状態が３メッツになる。
【００３０】
活動量取得部１６は、例えば、ユーザの動きを検出する三軸加速度センサで実現される。三軸加速度センサは、ウェアラブルデバイス１０に内蔵されており、腕の振り又は脚の動きなどに基づいてユーザの身体活動の強さを活動量として測定する。
【００３１】
記憶部１７は、時系列データ１８を記憶するための記憶部である。記憶部１７は、例えば半導体メモリで実現される。記憶部１７は、温度測定部１２によって測定された温度と、湿度測定部１３によって測定された湿度と、日射量測定部１４によって測定された日射量と、着衣量取得部１５によって取得された着衣量と、活動量取得部１６によって取得された活動量とを、時系列データ１８として記憶する。
【００３２】
時系列データ１８は、使用者環境測定部１１によって測定されたユーザの周囲の環境値と、着衣量取得部１５によって取得された着衣量と、活動量取得部１６によって取得された活動量との各々の時間変化を示すデータである。具体的には、時系列データ１８は、１秒又は１分などの一定期間毎に、ユーザの周囲の温度、湿度及び日射量、並びに、着衣量及び活動量を示している。時系列データ１８は、例えば、１時間又は１日などの所定の期間分の値を含んでいる。また、時系列データ１８には、蓄熱量算出部１９によって算出された蓄熱量の時間変化も含まれてもよい。
【００３３】
蓄熱量算出部１９は、使用者環境測定部１１によって測定されたユーザの周囲の環境値と、着衣量取得部１５によって取得された着衣量と、活動量取得部１６によって取得された活動量とに基づいて、ユーザの蓄熱量を算出する算出部の一例である。蓄熱量は、ユーザの行動に応じてユーザの体内に蓄積される熱量であり、単位：Ｗ／ｍ２で表される。
【００３４】
例えば、周囲の気温又は湿度が高い程、蓄熱量も大きくなる。また、ユーザが浴びる日射量が多い程、蓄熱量も大きくなる。また、ユーザの活動量又は着衣量が多い程、蓄熱量も大きくなる。一方で、例えばユーザが風を浴びることにより、放熱量が大きくなって、蓄熱量は小さくなる。
【００３５】
具体的には、蓄熱量算出部１９は、記憶部１７に記憶される時系列データ１８に基づいて蓄熱量を算出する。例えば、蓄熱量算出部１９は、回帰分析を利用して蓄熱量を算出する。本実施の形態では、蓄熱量算出部１９は、時刻ｔ毎の蓄熱量を算出する。より具体的には、蓄熱量算出部１９は、以下の（式１）に基づいて蓄熱量を算出する。
【００３６】
（式１）  蓄熱量（ｔ）＝蓄熱量（ｔ−１）
＋ａ１×（温度（ｔ−１）−温度（ｔ））
＋ａ２×（湿度（ｔ−１）−湿度（ｔ））
＋ａ３×（日射量（ｔ−１）−日射量（ｔ））
＋ａ４×（着衣量（ｔ−１）−着衣量（ｔ））
＋ａ５×（活動量（ｔ−１）−活動量（ｔ））
＋ｄ１
【００３７】
（式１）において、係数ａ１、ａ２、ａ３、ａ４及びａ５、並びに、定数ｄ１は、実測データと重回帰分析とを用いて予め算出された値である。係数ａ１、ａ２、ａ３、ａ４及びａ５、並びに、定数ｄ１は、例えば記憶部１７に記憶されている。なお、係数ａ１、ａ２、ａ３、ａ４及びａ５、並びに、定数ｄ１は、回帰分析を行うことで定期的に更新されてもよい。
【００３８】
蓄熱量（ｔ）は、算出対象時刻の蓄熱量であり、蓄熱量（ｔ−１）は、直前に算出された蓄熱量である。なお、蓄熱量の算出は、例えば１秒毎に行われる。この場合、蓄熱量（ｔ−１）は、算出対象時刻の１秒前の蓄熱量である。蓄熱量（ｔ−１）は、例えば、記憶部１７に、時系列データ１８として記憶される。
【００３９】
温度（ｔ）は、算出対象時刻の温度であり、温度測定部１２によって測定され、記憶部１７に時系列データ１８として記憶された値である。温度（ｔ−１）は、直前の算出対象時刻の温度である。例えば、温度（ｔ−１）は、算出対象時刻の１秒前の温度であり、記憶部１７に時系列データ１８として記憶された値である。湿度（ｔ）、日射量（ｔ）、着衣量（ｔ）及び活動量（ｔ）、並びに、湿度（ｔ−１）、日射量（ｔ−１）、着衣量（ｔ−１）及び活動量（ｔ−１）についても、同様である。
【００４０】
室内環境測定部２０は、室内の環境値を測定する。室内は、上述した通り、例えばユーザの自宅などの屋内空間である。本実施の形態では、室内環境測定部２０は、測定された環境値を送風機３０に送信する。図１に示されるように、室内環境測定部２０は、温度測定部２１と、湿度測定部２２とを有する。
【００４１】
温度測定部２１は、室内の環境値を測定する室内環境測定部の一例であり、環境値の一例である温度を測定する。温度測定部２１は、例えば温度センサであり、室温を測定する。例えば、温度測定部２１は、ユーザの自宅の一室の温度を測定する。なお、当該一室は、送風機３０によって生成された気流が放出される空間である。
【００４２】
湿度測定部２２は、室内の環境値を測定する室内環境測定部の一例であり、環境値の一例である湿度を測定する。湿度測定部２２は、例えば湿度センサであり、室内の湿度を測定する。例えば、湿度測定部２２は、ユーザの自宅の一室の湿度を測定する。
【００４３】
送風機３０は、室内の環境を調整する１以上の機器の１つである。具体的には、送風機３０は、気流を生成し、室内に放出する。本実施の形態では、送風機３０は、風量を変更可能である。送風機３０は、風向を変更可能であってもよい。
【００４４】
図１に示されるように、送風機３０は、制御部３１を備える。制御部３１は、室内の環境を調整する１以上の機器を制御する制御部の一例であり、送風機３０の動作を制御する。制御部３１は、室内環境測定部２０によって測定された室内の環境値と、蓄熱量算出部１９によって算出された蓄熱量とに基づいて、送風機３０の制御内容を決定し、決定した制御内容で送風機３０を制御する。例えば、制御部３１は、送風機３０の風量を制御する。図１に示されるように、制御部３１は、決定部３２と、調整部３３とを有する。
【００４５】
決定部３２は、室内環境測定部２０によって測定された室内の環境値と、蓄熱量算出部１９によって算出された蓄熱量とに基づいて、送風機３０の制御内容を決定する。本実施の形態では、決定部３２は、送風機３０の風量を決定する。なお、決定部３２は、送風機３０の風向を決定してもよい。
【００４６】
本実施の形態では、決定部３２は、時刻ｔ毎の風量を決定する。具体的には、時刻ｔにおける蓄熱量が閾値より小さい場合、決定部３２は、風量を０に決定する。
【００４７】
閾値は、例えば０である。つまり、蓄熱量が０より小さい場合、ユーザに対する熱収支がマイナスであるので、ユーザは暑くなく、送風機３０は気流を生成してユーザに当てなくてもよい。このため、蓄熱量が０より小さい場合に、決定部３２は、風量を０に決定する。なお、閾値は０でなくてもよく、例えば、ユーザによって変更可能であってもよい。
【００４８】
時刻ｔにおける蓄熱量が閾値以上である場合、決定部３２は、以下の（式２）に基づいて風量を決定する。
【００４９】
（式２）  風量（ｔ）＝ｂ１×蓄熱量（ｔ）
＋ｂ２×室温（ｔ）
＋ｂ３×室内の湿度（ｔ）
＋ｄ２
【００５０】
（式２）において、係数ｂ１、ｂ２及びｂ３、並びに、定数ｄ２は、実測データと重回帰分析とを用いて予め算出された値である。係数ｂ１、ｂ２及びｂ３、並びに、定数ｄ２は、例えば制御部３１が備えるメモリ（図示せず）に記憶されている。なお、係数ｂ１、ｂ２及びｂ３、並びに、定数ｄ２は、回帰分析を行うことで定期的に更新されてもよい。
【００５１】
例えば、蓄熱量、室温又は室内の湿度が高い程、風量も大きくなる。蓄熱量、室温又は室内の湿度が低い程、風量が小さくなる。例えば、蓄熱量、室温又は室内の湿度が、それぞれに予め定められた閾値を下回った場合には、風量が０になるように、係数ｂ１、ｂ２及びｂ３、並びに、定数ｄ２が定められる。
【００５２】
調整部３３は、決定部３２によって決定された制御内容に基づいて、送風機３０の動作を調整する。具体的には、調整部３３は、決定部３２によって決定された風量の気流を送風機３０に放出させる。
【００５３】
制御部３１は、例えば、マイクロコントローラで実現される。制御部３１は、例えば、プログラムが格納された不揮発性メモリ、プログラムを実行するための一時的な記憶領域である揮発性メモリ、入出力ポート、プログラムを実行するプロセッサなどで実現される。制御部３１が備える決定部３２及び調整部３３の少なくとも一方は、プロセッサによって実行されるソフトウェアで実現されてもよい。あるいは、決定部３２及び調整部３３の少なくとも一方は、複数の回路素子を含む電子回路などのハードウェアで実現されてもよい。
【００５４】
［動作（温熱環境制御方法）］
続いて、本実施の形態に係る温熱環境制御システム１の動作（すなわち、温熱環境制御方法）について、図２を用いて説明する。
【００５５】
図２は、本実施の形態に係る温熱環境制御システム１の動作を示すフローチャートである。
【００５６】
図２に示されるように、まず、使用者環境測定部１１がユーザの周囲の環境値を測定する（Ｓ１０）。具体的には、温度測定部１２がユーザの周囲の温度を測定し、湿度測定部１３がユーザの周囲の湿度を測定し、日射量測定部１４が、ユーザが浴びる日射量を測定する。次に、着衣量取得部１５がユーザの着衣量を取得し（Ｓ１２）、活動量取得部１６がユーザの活動量を取得する（Ｓ１４）。
【００５７】
なお、環境値の測定（Ｓ１０）、着衣量の取得（Ｓ１２）及び活動量の取得（Ｓ１４）は同時に実行されてもよく、又は、いずれが先に行われてもよい。また、環境値の測定（Ｓ１０）及び活動量の取得（Ｓ１４）は、例えば１秒毎に定期的に繰り返し実行される。着衣量の取得（Ｓ１２）は、定期的に繰り返し実行されてもよく、又は、ユーザが着衣を交換したタイミングで行われてもよい。各測定及び取得により得られたデータは、時系列データ１８として記憶部１７に記憶される。
【００５８】
次に、蓄熱量算出部１９がユーザの蓄熱量を算出する（Ｓ１６）。具体的には、蓄熱量算出部１９は、時系列データ１８を記憶部１７から読み出し、読み出した時系列データ１８と（式１）とを用いて蓄熱量を算出する。例えば、蓄熱量の算出（Ｓ１６）は、定期的に繰り返し実行される。
【００５９】
例えば、環境値の測定（Ｓ１０）から蓄熱量の算出（Ｓ１６）までの処理は、ユーザがウェアラブルデバイス１０を装着している期間中、定期的に繰り返し実行される。これにより、算出された蓄熱量の時間変化を含む時系列データ１８が記憶部１７に記憶される。なお、蓄熱量の算出（Ｓ１６）は、送風機３０の制御を行う時にのみ行われてもよい。
【００６０】
次に、室内環境測定部２０が室内の環境値を測定する（Ｓ１８）。具体的には、温度測定部２１が室内の温度を測定し、湿度測定部２２が室内の湿度を測定する。なお、室内の環境値の測定（Ｓ１８）は、制御内容を決定する前に行われればよく、例えばユーザの周囲の環境値の測定（Ｓ１０）などと同時に行われてもよい。あるいは、室内の環境値の測定は、ユーザが室内に存在する場合のみ実行されてもよい。
【００６１】
次に、決定部３２は、測定された室内の環境値及び算出された蓄熱量に基づいて、送風機３０の制御内容を決定する（Ｓ２０）。具体的には、決定部３２は、送風機３０の風量を制御内容として決定する。
【００６２】
図３は、本実施の形態に係る温熱環境制御システム１の動作において、風量の決定処理（Ｓ２０）を示すフローチャートである。図３に示されるように、決定部３２は、算出された蓄熱量と閾値とを比較する（Ｓ３０）。
【００６３】
蓄熱量が閾値より小さい場合（Ｓ３０でＹｅｓ）、決定部３２は、送風機３０の風量を０と決定する（Ｓ３２）。蓄熱量が閾値以上である場合（Ｓ３０でＮｏ）、決定部３２は、室内の環境値に基づいて風量を算出する（Ｓ３４）。具体的には、決定部３２は、蓄熱量と室内の温度及び湿度とに基づいて、上述した（式２）を用いて風量を算出する。
【００６４】
図３に示される風量の決定処理は、例えば蓄熱量が算出される度に行われてもよい。蓄熱量が定期的に繰り返し算出される場合、風量も定期的に繰り返し決定される。これにより、ユーザにとって快適な環境を維持することができる。
【００６５】
風量が制御内容として決定された後、図２に示されるように、調整部３３は、決定した制御内容で送風機３０を動作させる（Ｓ２２）。例えば、調整部３３は、決定した風量の気流を送風機３０に生成させて放出させる。
【００６６】
［動作例］
ここで、本実施の形態に係る温熱環境制御システム１による動作例について、ユーザの具体的な行動を例に挙げて説明する。
【００６７】
図４は、本実施の形態に係る温熱環境制御システム１において取得された時系列データ１８と、時系列データ１８に基づいて算出された蓄熱量との一例を示す図である。図４において、横軸は時間ｔを示している。図４は、例えば、外気温が高い場合（例えば夏）において、ユーザが自宅から買い物に出かけ、その後に自宅に戻ってきた場合の環境値、着衣量及び活動量の時間変化を表している。自宅の一室は、温熱環境の制御対象となる屋内空間、具体的には、送風機３０によって生成された気流が放出される屋内空間である。
【００６８】
図４に示されるように、期間Ｔ１においては、ユーザは屋外に居て、徒歩による移動中である。このため、温度、湿度及び日射量はいずれも高い値であり、活動量も高い値となる。期間Ｔ２では、ユーザは冷房の効いた店舗に入り、買い物を行っている。このため、温度、湿度及び日射量はいずれも低下し、低い値で維持される。また、移動量が少なくなるため、活動量も低くなる。期間Ｔ３では、ユーザは、再び屋外に出て、徒歩による移動中である。このため、温度、湿度及び日射量はいずれも高い値になり、活動量も高い値になる。なお、期間Ｔ１からＴ３にかけて、ユーザは着衣の変更を行っておらず、着衣量は一定の値になる。
【００６９】
期間Ｔ４では、ユーザは自宅に戻り、休息を取っている。この間、エアコンなどの空調機器及び送風機３０などの機器を稼働させている。これにより、温度、湿度及び日射量はいずれも低下し、低い値で維持される。また、ユーザは帰宅後に、外出着から部屋着に着替えたことにより、着衣量が低下している。また、ユーザは休息しているので、活動量も低下している。
【００７０】
図４には、算出されたユーザの蓄熱量の時間変化も表している。期間Ｔ１及びＴ３のように、屋外で移動中には蓄熱量が増加しており、期間Ｔ２のように冷房の効いた店内に居る場合には、蓄熱量が減少している。期間Ｔ４では、エアコン及び送風機が稼働中であるので、ユーザの蓄熱量が減少している。
【００７１】
図５は、本実施の形態に係る温熱環境制御システム１における機器の制御による室内環境の変化を示す図である。図５は、ユーザが自宅に戻った後の機器の動作中の期間Ｔ４の詳細を示している。図５において、横軸は時間ｔを示している。
【００７２】
ユーザは、自宅に戻った後、エアコン及び送風機３０を稼働させる。送風機３０が稼働されることで、本実施の形態に係る温熱環境制御システム１は、送風機３０を蓄熱量に基づいて制御する。なお、温熱環境制御システム１は、人感センサなどでユーザの帰宅を検知し、送風機３０の起動を自動的に行ってもよい。図５に示されるように、エアコンが稼働することで、室温及び室内の湿度がいずれも徐々に低下する。
【００７３】
帰宅時点（すなわち、期間Ｔ４の開始時点）では、蓄熱量が大きいので、（式２）に基づいて決定された風量で送風機３０が動作する。送風機３０が気流を生成し、ユーザに浴びせることにより、かつ、室温及び湿度が低下することにより、（式１）に基づいて算出される蓄熱量も減少する。このため、蓄熱量の減少に伴って、送風機３０の風量も低下し、最終的に風量が０になる。
【００７４】
なお、期間Ｔ４において、ユーザが運動を始めるなどして活動量が上昇し、蓄熱量が大きくなった場合は、再び送風機３０が気流を生成することができる。このように、蓄熱量に基づいて風量が決定されるので、ユーザにとって快適な環境が自動的に形成される。快適な環境が自動的に形成されるので、必要以上に強い気流などが生成されずに、送風機３０の消費電力の低減にも繋がり、省エネルギー化も実現することができる。
【００７５】
［効果など］
以上のように、本実施の形態に係る温熱環境制御装置２は、室内の環境値を測定する室内環境測定部２０と、室内の環境を調整する１以上の機器を制御する制御部３１と、ユーザの周囲の環境値を測定する使用者環境測定部１１と、ユーザの着衣量を取得する着衣量取得部１５と、ユーザの活動量を取得する活動量取得部１６と、使用者環境測定部１１によって測定された環境値と、着衣量取得部１５によって取得された着衣量と、活動量取得部１６によって取得された活動量とに基づいて、ユーザの蓄熱量を算出する蓄熱量算出部１９とを備える。制御部３１は、室内環境測定部２０によって測定された環境値と、蓄熱量算出部１９によって算出された蓄熱量とに基づいて、１以上の機器の制御内容を決定し、決定した制御内容で１以上の機器を制御する。
【００７６】
また、本実施の形態に係る温熱環境制御システム１は、温熱環境制御装置２と、１以上の機器とを備える。
【００７７】
このように、温熱環境制御システム１は、ユーザの蓄熱量に基づいて機器を制御する。蓄熱量は制御時点までにユーザに蓄積された熱量に相当するので、制御時点までにユーザの周囲環境の影響を機器の制御に反映させることができる。例えば、制御時点までにユーザが高温の環境下に存在していたのか、低温の環境下に存在していたのかに応じて、機器の制御内容を変更することができる。これにより、ユーザに合った制御内容を決定することができるので、ユーザにとって快適な温熱環境を形成することができる。
【００７８】
また、例えば、温熱環境制御装置２は、使用者環境測定部１１によって測定された環境値と、着衣量取得部１５によって取得された着衣量と、活動量取得部１６によって取得された活動量とを時系列データ１８として蓄積するための記憶部１７を備える。蓄熱量算出部１９は、記憶部１７に蓄積される時系列データ１８に基づいて蓄熱量を算出する。
【００７９】
これにより、ユーザの周囲の環境値、着衣量及び活動量を一定期間記憶させておくことができるので、過去のユーザの周囲環境の変化に基づいて、ユーザに合った制御内容を決定することができる。
【００８０】
また、例えば、室内の環境値は、室内の温度及び湿度の少なくとも一方を含む。
【００８１】
これにより、室内の温度又は湿度に応じて、ユーザに合った制御内容を決定することができる。
【００８２】
また、例えば、ユーザの周囲の環境値は、ユーザの周囲の温度、湿度及び日射量である。
【００８３】
これにより、蓄熱量の確度が高くなるので、ユーザにより合った制御内容を決定することができる。また、蓄熱量の算出に要するパラメータが温度、湿度、日射量、着衣量及び活動量の５つであるので、複雑な演算を必要とせずに少ない処理量で蓄熱量を算出することができる。また、これらの５つのパラメータの値の測定及び取得も容易に行うことができるので、温熱環境制御装置２の構成を簡素化することができる。
【００８４】
また、例えば、１以上の機器は、送風機３０を含む。制御部３１は、送風機３０の風量を制御する。
【００８５】
これにより、送風機３０の風量を調整することで、ユーザにとって快適な気流をユーザに浴びせることができる。
【００８６】
また、例えば、温熱環境制御システム１は、さらに、ユーザに装着されるウェアラブルデバイス１０を備える。ウェアラブルデバイス１０は、使用者環境測定部１１、着衣量取得部１５及び活動量取得部１６を備える。
【００８７】
これにより、ユーザに装着されたウェアラブルデバイス１０がユーザの周囲の環境値、着衣量及び活動量を測定又は取得するので、確度の高い環境値、着衣量及び活動量を得ることができる。このため、環境値、着衣量及び活動量に基づいて算出される蓄熱量の確度も高くなるので、ユーザにより合った制御内容を決定することができる。
【００８８】
また、例えば、本実施の形態に係る温熱環境制御方法は、ユーザの周囲の環境値を測定するステップと、ユーザの着衣量を取得するステップと、ユーザの活動量を取得するステップと、環境値と着衣量と活動量とに基づいて、ユーザの蓄熱量を算出する算出ステップと、室内の環境値を測定するステップと、室内の環境を調整する１以上の機器を制御するステップとを含む。１以上の機器を制御するステップでは、室内の環境値と蓄熱量とに基づいて１以上の機器の制御内容を決定し、決定した制御内容で１以上の機器を制御する。
【００８９】
これにより、上述した温熱環境制御装置及び温熱環境制御システム１と同様に、ユーザに合った制御内容を決定することができるので、ユーザにとって快適な温熱環境を形成することができる。
【００９０】
（実施の形態２）
続いて、実施の形態２について説明する。
【００９１】
実施の形態２では、温熱環境制御システムにおいて制御対象となる機器として空調機器が含まれる点が実施の形態１と相違する。以下では、実施の形態１との相違点を中心に説明し、共通点の説明を適宜省略又は簡略化する。
【００９２】
図６は、本実施の形態に係る温熱環境制御システム１０１の構成を示すブロック図である。図６に示されるように、温熱環境制御システム１０１は、温熱環境制御装置２及びウェアラブルデバイス１０の代わりに、温熱環境制御装置１０２及びウェアラブルデバイス１１０を備える。さらに、温熱環境制御システム１０１は、空調機器１４０を備える。温熱環境制御装置２は、実施の形態１に係る温熱環境制御装置２と比較して、さらに、入力部１１１と、位置取得部１１２と、制御部１４１とを備える。
【００９３】
ウェアラブルデバイス１１０は、実施の形態１に係るウェアラブルデバイス１０と比較して、入力部１１１と、位置取得部１１２とを新たに備える。
【００９４】
入力部１１１は、ユーザからの入力を受け付けることで、機器の起動指示を取得する。入力部１１１は、例えば、ウェアラブルデバイス１１０の本体に設けられた物理的ボタン、又は、タッチパネルディスプレイなどで実現される。入力部１１１によって取得された起動指示は、空調機器１４０に送信される。
【００９５】
位置取得部１１２は、ウェアラブルデバイス１１０の現在位置を示す位置情報を取得する。例えば、位置取得部１１２は、ＧＰＳ（Global Positioning System）受信機、又は、ＩＭＥＳ（Indoor MEssaging System）受信機などで実現される。位置取得部１１２によって取得された位置情報は、空調機器１４０に送信される。
【００９６】
なお、ウェアラブルデバイス１１０は、入力部１１１及び位置取得部１１２のいずれか一方のみを備えていてもよい。
【００９７】
空調機器１４０は、室内の環境を調整する１以上の機器の１つである。具体的には、空調機器１４０は、室内の温度及び湿度の少なくとも一方を調整する。空調機器１４０は、室内の温度又は湿度が設定温度又は設定湿度になるように室内の空調を行う。具体的には、空調機器１４０は、室内の冷房、暖房、除湿又は加湿などを行う。
【００９８】
図６に示されるように、空調機器１４０は、制御部１４１を備える。制御部１４１は、室内の環境を調整する１以上の機器を制御する制御部の一例であり、空調機器１４０の動作を制御する。具体的には、制御部１４１は、室内環境測定部２０によって測定された室内の環境値と、蓄熱量算出部１９によって算出された蓄熱量とに基づいて、空調機器１４０の制御内容を決定し、決定した制御内容で空調機器１４０を制御する。例えば、制御部１４１は、空調機器１４０の設定温度又は設定湿度を制御する。制御部１４１は、設定温度に応じて空調機器１４０に冷房又は暖房を行わせる。制御部１４１は、設定湿度に応じて空調機器１４０に除湿又は加湿を行わせる。図６に示されるように、制御部１４１は、決定部１４２と、調整部１４３とを有する。
【００９９】
決定部１４２は、室内環境測定部２０によって測定された室内の環境値と、蓄熱量算出部１９によって算出された蓄熱量とに基づいて、空調機器１４０の制御内容を決定する。本実施の形態では、決定部１４２は、空調機器１４０の設定温度を制御内容として決定する。なお、決定部１４２は、空調機器１４０の設定湿度を決定してもよい。
【０１００】
本実施の形態では、決定部１４２は、時刻ｔ毎の設定温度を決定する。具体的には、時刻ｔにおける蓄熱量の絶対値が閾値より小さい場合、決定部１４２は、設定温度を基準値に決定する。基準値は、例えば、ユーザの蓄熱量が０である場合にユーザが快適と感じる温度である。
【０１０１】
時刻ｔにおける蓄熱量の絶対値が閾値以上である場合、決定部１４２は、以下の（式３）に基づいて設定温度を決定する。
【０１０２】
（式３）  設定温度（ｔ）＝ｃ１×蓄熱量（ｔ）
＋ｃ２×室温（ｔ）
＋ｃ３×室内の湿度（ｔ）
＋ｄ３
【０１０３】
（式３）において、係数ｃ１、ｃ２及びｃ３、並びに、定数ｄ３は、実測データと重回帰分析とを用いて予め算出された値である。係数ｃ１、ｃ２及びｃ３、並びに、定数ｄ３は、例えば制御部１４１が備えるメモリ（図示せず）に記憶されている。なお、係数ｃ１、ｃ２及びｃ３、並びに、定数ｄ３は、回帰分析を行うことで定期的に更新されてもよい。また、係数ｃ１、ｃ２及びｃ３、並びに、定数ｄ３は、冷房動作時と暖房動作時とでそれぞれ異なる値であってもよい。
【０１０４】
例えば、蓄熱量、室温又は室内の湿度が高い程、設定温度は小さくなる。蓄熱量、質損又は室内の湿度が低い程、設定温度が高くなる。例えば、蓄熱量が正の値であり、かつ、閾値以上である場合、設定温度が小さくなって空調機器１４０によって冷房が行われる。蓄熱量が負の値であり、かつ、閾値以下である場合、設定温度が高くなって空調機器１４０によって暖房が行われる。また、例えば蓄熱量の絶対値が閾値を下回った場合には、設定温度が基準値になるように、係数ｃ１、ｃ２及びｃ３、並びに、定数ｄ３が定められる。ここでは、蓄熱量の絶対値と閾値とを比較しているため、冷房又は暖房の判断の閾値が同じであるが、これに限らない。蓄熱量の正の閾値と負の閾値とは異なっていてもよい。
【０１０５】
なお、設定湿度も同様にして決定することができる。例えば、決定部１４２は、時刻ｔにおける蓄熱量の絶対値が閾値より小さい場合、設定湿度を基準値に決定する。基準値は、例えば、ユーザの蓄熱量が０である場合にユーザが快適と感じる湿度である。時刻ｔにおける蓄熱量の絶対値が閾値以上である場合、決定部１４２は、上述した（式３）と同様の式を用いて設定湿度を決定する。
【０１０６】
調整部１４３は、決定部１４２によって決定された制御内容に基づいて、空調機器１４０の動作を調整する。具体的には、調整部１４３は、決定部１４２によって決定された設定温度に室温がなるように、室内の冷房又は暖房を行う。また、調整部１４３は、決定部１４２によって決定された設定湿度に室内の湿度がなるように、室内の除湿又は加湿を行う。
【０１０７】
制御部１４１は、例えば、マイクロコントローラで実現される。制御部１４１は、例えば、プログラムが格納された不揮発性メモリ、プログラムを実行するための一時的な記憶領域である揮発性メモリ、入出力ポート、プログラムを実行するプロセッサなどで実現される。制御部１４１が備える決定部１４２及び調整部１４３の少なくとも一方は、プロセッサによって実行されるソフトウェアで実現されてもよい。あるいは、決定部１４２及び調整部１４３の少なくとも一方は、複数の回路素子を含む電子回路などのハードウェアで実現されてもよい。
【０１０８】
本実施の形態では、制御部１４１は、入力部１１１によって取得された起動指示を受信した場合に、空調機器１４０を起動、すなわち、空調機器１４０の動作を開始する。これにより、ユーザは、室内から離れた位置（例えば、外出先）に居る場合であっても、入力部１１１に起動指示を入力することにより、空調機器１４０の動作を開始させることができる。このため、ユーザが室内に入る前から空調機器１４０の動作を開始させることができ、ユーザが室内に入った時点で、又は、室内に入ってから速やかに快適な環境を形成することができる。
【０１０９】
また、制御部１４１は、位置取得部１１２によって取得された位置情報が示す位置が、予め定められた領域の外から当該領域内に入った場合に、空調機器１４０の動作を開始する。予め定められた領域は、例えば、空調機器１４０が設けられた室内を中心とする円形の領域である。当該円形の領域の半径は、例えば、室内をユーザにとって快適な環境にするのに要する所要時間に基づいて定められる。具体的には、半径は、ユーザの平均移動速度（単位：ｍ／分）と所要時間（単位：分）との積に相当する。
【０１１０】
これにより、ユーザが室内（例えば、自宅）に近づいた場合に、空調機器１４０の動作を開始させることができる。つまり、ユーザが室内に入る前（例えば帰宅前）に空調機器１４０を動作させて、室内に入った時点では既に快適な環境が形成されている状態を作ることができる。
【０１１１】
なお、ウェアラブルデバイス１１０が、位置取得部１１２によって取得された位置情報と室内の位置とに基づいて、空調機器１４０の動作を開始するための起動指示を空調機器１４０に送信してもよい。例えば、記憶部１７には、室内の位置を示す対象位置情報が記憶されている。例えば、位置取得部１１２は、予め定められた領域の外から当該領域内に、室内の位置が入った場合に、起動指示を空調機器１４０に送信してもよい。ここでの予め定められた領域は、例えば、ウェアラブルデバイス１１０を中心とする円形の領域である。当該円形の領域は、ユーザの平均移動速度（単位：ｍ／分）と所要時間（単位：分）との積に相当する。
【０１１２】
なお、本実施の形態に係る温熱環境制御システム１０１では、空調機器１４０の代わりに、又は、空調機器１４０に加えて、起動指示又は位置情報に基づいて送風機３０を起動してもよい。
【０１１３】
［動作（温熱環境制御方法）］
続いて、本実施の形態に係る温熱環境制御システム１０１の動作について説明する。なお、室内環境測定部２０及び送風機３０の動作は、実施の形態１と同様である。ウェアラブルデバイス１１０は、実施の形態１の動作に加えて、入力部１１１が起動指示を受け付けた場合に、起動指示を空調機器１４０に送信する。また、ウェアラブルデバイス１１０は、位置情報を定期的に空調機器１４０に送信する。
【０１１４】
図７は、本実施の形態に係る温熱環境制御システム１０１の空調機器１４０の動作を示すフローチャートである。
【０１１５】
図７に示されるように、まず、制御部１４１は、起動指示を受信したか否かを判定する（Ｓ４０）。なお、起動指示は、ウェアラブルデバイス１１０の入力部１１１から送信される指示だけでなく、空調機器１４０又はそのコントローラに対して入力された指示も含まれる。
【０１１６】
起動指示を受信した場合（Ｓ４０でＹｅｓ）、決定部１４２は、制御内容を決定する（Ｓ４２）。本実施の形態では、決定部１４２は、空調機器１４０の設定温度又は設定湿度を制御内容として決定する。制御内容の具体的な決定方法は、図８を用いて後で説明する。
【０１１７】
起動指示を受信していない場合（Ｓ４０でＮｏ）、制御部１４１は、ウェアラブルデバイス１１０から送信された位置情報に基づいて、ウェアラブルデバイス１１０の位置が予め定められた領域内に入ったか否かを判定する（Ｓ４４）。ウェアラブルデバイス１１０の位置が領域内に入ったと判定された場合（Ｓ４４でＹｅｓ）、決定部１４２は、制御内容を決定する（Ｓ４２）。
【０１１８】
設定温度又は設定湿度が制御内容として決定された後、調整部１４３は、決定した制御内容で空調機器１４０を動作させる（Ｓ２２）。例えば、調整部１４３は、室温又は室内の湿度が設定温度又は設定湿度になるように空調機器１４０を動作させる。
【０１１９】
ウェアラブルデバイス１１０の位置が領域外に存在する場合、又は、ウェアラブルデバイス１１０の位置が既に領域内に存在する場合（Ｓ４４でＮｏ）、制御部１４１は、空調機器１４０の動作を開始させない。この場合、制御部１４１は、起動指示の判定（Ｓ４０）に戻り、上述した処理を繰り返す。
【０１２０】
図８は、本実施の形態に係る温熱環境制御システム１０１の動作において、設定温度又は設定湿度の決定処理を示すフローチャートである。図８に示されるように、決定部１４２は、算出された蓄熱量の絶対値と閾値とを比較する（Ｓ５０）。閾値は、例えば０である。
【０１２１】
蓄熱量の絶対値が閾値より小さい場合（Ｓ５０でＹｅｓ）、決定部１４２は、空調機器１４０の設定温度又は設定湿度を基準値で維持する（Ｓ５２）。蓄熱量の絶対値が閾値以上である場合（Ｓ５０でＮｏ）、決定部１４２は、室内の環境値に基づいて設定温度又は設定湿度を算出する（Ｓ５４）。具体的には、決定部１４２は、蓄熱量と室内の温度及び湿度とに基づいて、上述した（式３）を用いて設定温度又は設定湿度を算出する。
【０１２２】
図８に示される風量の決定処理は、例えば蓄熱量が算出される度に行われてもよい。蓄熱量が定期的に繰り返し算出される場合、風量も定期的に繰り返し決定される。これにより、ユーザにとって快適な環境を維持することができる。
【０１２３】
［効果など］
以上のように、本実施の形態に係る温熱環境制御システム１０１では、１以上の機器は、室内の温度又は湿度を調整する空調機器１４０を含む。制御部１４１は、空調機器１４０の設定温度及び設定湿度の少なくとも一方を制御する。
【０１２４】
これにより、空調機器１４０の設定温度又は設定湿度を調整することで、室温又は室内の湿度をユーザにとって快適な温度又は湿度にすることができる。
【０１２５】
（その他）
以上、本発明に係る温熱環境制御装置について、上記の実施の形態に基づいて説明したが、本発明は、上記の実施の形態に限定されるものではない。
【０１２６】
例えば、上記の実施の形態では、蓄熱量の算出に、ユーザの周囲の温度、湿度、日射量、着衣量及び活動量を用いる例について示したが、これに限らない。温度、湿度及び日射量のいずれか１つ又は２つは、蓄熱量の算出に用いられなくてもよい。また、例えば、蓄熱量の算出には、ユーザの呼吸率、酸素消費量、体表面積、露出している体表面積、平均皮膚温、体重減少量、人体の熱伝達率、及び、平均放射温度の少なくとも１つをさらに用いてもよい。
【０１２７】
また、例えば、着衣量取得部１５は、着衣量をユーザ入力で得たが、これに限らない。例えば、着衣量取得部１５は、ユーザを撮影するカメラと、撮影により得られた画像を処理する画像処理回路とで実現されてもよい。着衣量取得部１５は、画像を処理することで、ユーザの着衣の種類を判別し、判別結果に基づいて着衣量を取得してもよい。
【０１２８】
また、例えば、記憶部１７には、時系列データ１８ではなく、直前に取得した値のみが記憶されていてもよい。具体的には、記憶部１７には、直前に測定されたユーザの周囲の温度、湿度及び照射量、並びに、ユーザの着衣量及び活動量と、直前に算出された蓄熱量とのみが記憶されていてもよい。
【０１２９】
また、上記実施の形態で説明した装置間の通信方法については特に限定されるものではない。装置間で無線通信が行われる場合、無線通信の方式（通信規格）は、例えば、ＺｉｇＢｅｅ（登録商標）、Ｂｌｕｅｔｏｏｔｈ（登録商標）、又は、無線ＬＡＮ（Local Area Network）などの近距離無線通信である。あるいは、無線通信の方式（通信規格）は、インターネットなどの広域通信ネットワークを介した通信でもよい。また、装置間においては、無線通信に代えて、有線通信が行われてもよい。有線通信は、具体的には、電力線搬送通信（ＰＬＣ：Power Line Communication）又は有線ＬＡＮを用いた通信などである。
【０１３０】
また、上記実施の形態において、特定の処理部が実行する処理を別の処理部が実行してもよい。また、複数の処理の順序が変更されてもよく、あるいは、複数の処理が並行して実行されてもよい。また、温熱環境制御システムが備える構成要素の複数の装置への振り分けは、一例である。例えば、一の装置が備える構成要素を他の装置が備えてもよい。
【０１３１】
例えば、ウェアラブルデバイス１０が備える記憶部１７及び蓄熱量算出部１９は、送風機３０又は空調機器１４０に備えられてもよい。あるいは、記憶部１７及び蓄熱量算出部１９は、ウェアラブルデバイス１０、送風機３０及び空調機器１４０が通信可能なサーバ装置などに備えられていてもよい。
【０１３２】
また、送風機３０又は空調機器１４０は、室内環境測定部２０を備えてもよい。また、温熱環境制御システム１は、汎用の送風機又は空調機器と、当該送風機又は空調機器を制御する制御装置とを備えてもよく、当該制御装置は、室内環境測定部２０と、制御部３１又は制御部１４１とを備えてもよい。あるいは、ウェアラブルデバイス１０は、制御部３１の決定部３２、又は、制御部１４１の決定部１４２を備えてもよい。
【０１３３】
また、温熱環境制御システム１は、単一の装置として実現されてもよい。
【０１３４】
例えば、上記実施の形態において説明した処理は、単一の装置（システム）を用いて集中処理することによって実現してもよく、又は、複数の装置を用いて分散処理することによって実現してもよい。また、上記プログラムを実行するプロセッサは、単数であってもよく、複数であってもよい。すなわち、集中処理を行ってもよく、又は分散処理を行ってもよい。
【０１３５】
また、上記実施の形態において、制御部などの構成要素の全部又は一部は、専用のハードウェアで構成されてもよく、あるいは、各構成要素に適したソフトウェアプログラムを実行することによって実現されてもよい。各構成要素は、ＣＰＵ（Central Processing Unit）又はプロセッサなどのプログラム実行部が、ＨＤＤ（Hard Disk Drive）又は半導体メモリなどの記録媒体に記録されたソフトウェアプログラムを読み出して実行することによって実現されてもよい。
【０１３６】
また、制御部などの構成要素は、１つ又は複数の電子回路で構成されてもよい。１つ又は複数の電子回路は、それぞれ、汎用的な回路でもよいし、専用の回路でもよい。
【０１３７】
１つ又は複数の電子回路には、例えば、半導体装置、ＩＣ（Integrated Circuit）又はＬＳＩ（Large Scale Integration）などが含まれてもよい。ＩＣ又はＬＳＩは、１つのチップに集積されてもよく、複数のチップに集積されてもよい。ここでは、ＩＣ又はＬＳＩと呼んでいるが、集積の度合いによって呼び方が変わり、システムＬＳＩ、ＶＬＳＩ（Very Large Scale Integration）、又は、ＵＬＳＩ（Ultra Large Scale Integration）と呼ばれるかもしれない。また、ＬＳＩの製造後にプログラムされるＦＰＧＡ（Field Programmable Gate Array）も同じ目的で使うことができる。
【０１３８】
また、本発明の全般的又は具体的な態様は、システム、装置、方法、集積回路又はコンピュータプログラムで実現されてもよい。あるいは、当該コンピュータプログラムが記憶された光学ディスク、ＨＤＤ若しくは半導体メモリなどのコンピュータ読み取り可能な非一時的記録媒体で実現されてもよい。また、システム、装置、方法、集積回路、コンピュータプログラム及び記録媒体の任意な組み合わせで実現されてもよい。
【０１３９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１４０】
１、１０１  温熱環境制御システム
２、１０２  温熱環境制御装置
１０、１１０  ウェアラブルデバイス
１１  使用者環境測定部
１２、２１  温度測定部
１３、２２  湿度測定部
１４  日射量測定部
１５  着衣量取得部
１６  活動量取得部
１７  記憶部
１８  時系列データ
１９  蓄熱量算出部（算出部）
２０  室内環境測定部
３０  送風機
３１、１４１  制御部
３２、１４２  決定部
３３、１４３  調整部
１１１  入力部
１１２  位置取得部
１４０  空調機器
【図１】
2020021972.tif 000003
【図２】
2020021972.tif 000004
【図３】
2020021972.tif 000005
【図４】
2020021972.tif 000006
【図５】
2020021972.tif 000007
【図６】
2020021972.tif 000008
【図７】
2020021972.tif 000009
【図８】
2020021972.tif 000010
【国際調査報告】
2020021972.tif 000011
2020021972.tif 000012
2020021972.tif 000013
2020021972.tif 000014